(57)【要約】  本発明は、記録担体（５）から固有識別子ＩＤを再生するための再生装置及び方法に関し、前記記録担体は、データを記憶するためのデータ領域と、前記データ領域の欠陥セクタから再割当されるデータを記憶し、再割当情報を記憶するための欠陥管理領域とを有する。ユーザによる前記固有識別子の複製を予防するために、−前記データ領域の第１の所定の欠陥がないセクタを欠陥があり且つ前記欠陥管理領域の第２のセクタに再割当されるとしてマークする、前記欠陥管理領域から、再割当情報を読み出すための再割当情報読出手段（７）と、−前記第１のセクタから第１のデータユニットを読み出し、前記第２のセクタから第２のデータユニットを読み出すための、データ読出手段（６、８）と、−前記第１のデータユニット及び前記第２のデータユニットを比較及び／又は組合せによって評価し、当該評価の結果から前記固有識別子ＩＤを導出するための評価手段（１０）とを有する再生装置が提案される。
2007522599.tif 000002
【特許請求の範囲】
【請求項１】
データを記憶するためのデータ領域と、前記データ領域の欠陥セクタから再割当されるデータを記憶し、再割当情報を記憶するための欠陥管理領域とを持つ記録担体から固有識別子ＩＤを再生する再生装置において、
−前記データ領域の第１の所定の欠陥がないセクタを、欠陥があり且つ前記欠陥管理領域の第２のセクタに再割当されるとしてマークする前記欠陥管理領域から、再割当情報を読み出すための、再割当情報読出手段と、
−前記第１のセクタから第１のデータユニットを読み出し、前記第２のセクタから第２のデータユニットを読み出すための、データ読出手段と、
−前記第１のデータユニット及び前記第２のデータユニットを、比較及び／又は組合せによって評価し、当該評価の結果から前記固有識別子ＩＤを導出するための評価手段と、
を有する再生装置。
【請求項２】
請求項１に記載の再生装置において、前記評価手段は、所定の組合せアルゴリズムに従う前記第１のデータユニット及び前記第２のデータユニットの組合せによって、特に、算術演算若しくはブール演算又はスクランブリングアルゴリズムによって、前記固有識別子ＩＤを導出するように動作する、再生装置。
【請求項３】
請求項１に記載の再生装置において、前記評価手段は、前記第１又は前記第２のデータユニットのうちの一方を、他方のデータユニット内において前記固有識別子ＩＤが記憶される特定の位置を指すポインタとして使用することにより、前記固有識別子ＩＤを導出するように動作する、再生装置。
【請求項４】
請求項１に記載の再生装置において、前記評価手段は、前記第１又は前記第２のデータユニットのうちの一方を、前記固有識別子ＩＤを与える他方のデータユニットを解読するための解読キーとして使用することにより、前記固有識別子ＩＤを導出するように動作する、再生装置。
【請求項５】
請求項１に記載の再生装置において、前記データ読出手段は、複数の第１のセクタから複数の第１のデータユニットを読み出し、複数の第２のセクタから複数の第２のデータユニットを読み出すように動作し、前記評価手段は、前記第１のデータユニットをそれぞれ対応する前記第２のデータユニットと比較することによって前記固有識別子ＩＤを導出し、前記比較の結果から前記固有識別子ＩＤを得るように動作する、再生装置。
【請求項６】
請求項１に記載の再生装置において、更に、前記第１の及び前記第２のデータユニットの論理アドレスを記憶し、前記第１のデータユニット及び前記第２のデータユニットを評価するために用いられる評価関数を記憶するための、メモリ手段を有する再生装置。
【請求項７】
請求項１に記載の再生装置において、更に、前記第１の及び前記第２のデータユニットの論理アドレスを読み出し、前記光記録担体から、前記第１のデータユニット及び前記第２のデータユニットを評価するために使用されるべき評価関数を読み出すための評価情報読出手段を有する再生装置。
【請求項８】
請求項１に記載の再生装置において、前記データ読出手段は、ストリーミング読出コマンドによって前記第１のセクタから前記第１のデータユニットを読み出し、論理読出コマンドによって前記第２のセクタから前記第２のデータユニットを読み出すように動作する、再生装置。
【請求項９】
前記データ領域は一般アプリケーション領域（ＧＡＡ）である請求項１に記載の再生装置。
【請求項１０】
データを記憶するためのデータ領域と、前記データ領域の欠陥セクタから再割当されるデータを記憶し、再割当情報を記憶するための欠陥管理領域とを持つ記録担体から固有識別子ＩＤを再生する再生方法において、
−前記データ領域の第１の所定の欠陥がないセクタから第１のデータユニットを読み出すステップと、
−前記データ領域の前記第１のセクタを欠陥があり且つ前記欠陥管理領域の第２のセクタに再割当されるとしてマークする前記欠陥管理領域から、再割当情報を読み出すステップと、
−前記第２のセクタから前記第２のデータユニットを読み出すステップと、
−比較及び／又は組合せによって前記第１のデータユニット及び前記第２のデータユニットを評価するステップと、
−前記評価の結果から前記固有識別子ＩＤを導出するステップと、
を有する方法。
【請求項１１】
データを記憶するためのデータ領域と、前記データ領域の欠陥セクタから再割当されるデータを記憶し、再割当情報を記憶するための欠陥管理領域とを持つ記録担体に固有識別子ＩＤを記録する記録装置において、
−前記データ領域の第１の欠陥がないセクタに第１のデータユニットを記録し、前記欠陥管理領域の第２のセクタに第２のデータユニットを記録するための記録手段と、
−前記第１のセクタを欠陥があり且つ前記第２のセクタに再割当されるとしてマークする前記欠陥管理領域に、再割当情報を記録するための再割当手段であって、前記第１のデータユニット及び前記第２のデータユニットは、比較及び／又は組合せによる評価をなされ、当該評価の結果から前記固有識別子ＩＤを導出するように提供される、再割当手段と、
を有する記録装置。
【請求項１２】
データを記憶するためのデータ領域と、前記データ領域の欠陥セクタから再割当されるデータを記憶し、再割当情報を記憶するための欠陥管理領域とを持つ光記録担体に固有識別子ＩＤを記録する記録方法において、
−前記データ領域の第１の欠陥がないセクタに第１のデータユニットを記録するステップと、
−前記欠陥管理領域の第２のセクタに第２のデータユニットを記録するステップと、
−前記第１のセクタを欠陥があり且つ前記第２のセクタに再割当されるとしてマークする前記欠陥管理領域に、再割当情報を記録するステップであって、前記第１のデータユニット及び前記第２のデータユニットは、比較及び／又は組合せによる評価をなされ、当該評価の結果から前記固有識別子ＩＤを導出するように提供される、ステップと、
を有する記録方法。
【請求項１３】
−第１の欠陥がないセクタに記憶される第１のデータユニットを含むデータを記憶するためのデータ領域と、
−前記データ領域の欠陥セクタから再割当される、第２のセクタに記憶される第２のデータユニットを含むデータを記憶し、前記第１のセクタを、欠陥があり且つ前記第２のセクタに再割当されるとしてマークする情報を含む再割当情報を記憶するための、欠陥管理領域であって、前記第１のデータユニット及び前記第２のデータユニットは、比較及び／又は組合せによる評価をなされ、当該評価の結果から前記固有識別子ＩＤを導くように提供される、欠陥管理領域と、
を有する記録担体。
【請求項１４】
Mount Rainier方式である、請求項１３に記載の記録担体。
【請求項１５】
コンピュータで実行されたらコンピュータに請求項１０又は１２に記載の方法のステップを実行させるためのプログラムコード手段を有するコンピュータプログラム。
【発明の詳細な説明】
【技術分野】
【０００１】
本発明は、データを記憶するためのデータ領域と、前記データ領域の欠陥セクタから再割当されるデータを記憶し、再割当情報を記憶するための欠陥管理領域とを持つ記録担体から、固有識別子ＩＤを再生するための再生装置及び対応する再生方法に関する。更に、本発明は、記録装置及び対応する記録方法、記録担体、並びに、前記方法をコンピュータ上で実現するためのコンピュータプログラムに関する。
【背景技術】
【０００２】
媒体は、配布のためのインターネット制御又はコピープロテクション等の種々の理由のため、オリジナル記録担体のＩＤとして及び／又は内容解読キーとして用いられることができる固有識別子（例えば固有の数）を持つことが必要とされる。識別子は、ディスクについて固有であってよい。これは、例えばディスクがドライブに初めて入るときに固有識別子が書き込まれる記録可能な又は再書き込み可能なディスクについて、必ずではないが通常当てはまる。又は、識別子は、プリプレスディスクについて通常当てはまるように、バッチについて固有であってもよい。
【０００３】
記録担体に固有識別子を記録するシステムのほとんどは、以下の欠点のうちの１つ以上を持つ。即ち、固有識別子を記録する生産工程の間、特別な装置が必要とされること、固有識別子を読み出すために、ドライブにおいて特別なデコーダが必要であること、及び／又は、固有識別子が生のコピー方法を用いて容易に複製されることができること、である。
【０００４】
米国特許第５，９３０，８２５号は、媒体のＩＤを比較することによって権限のない使用を防止するための方法及び装置を開示する。記録媒体は、ソフトウェア／データが記録される記録媒体の識別のためのユーザデータ領域に、媒体ＩＤ情報の記憶領域を有する。オリジナル媒体ＩＤ情報を記憶している領域（欠陥領域と呼ばれる）もまた、オリジナル媒体ＩＤ情報を記憶するためのユーザデータ領域に含まれ、オリジナル媒体ＩＤ情報は、ソフトウェア／データの権限のない使用を判断するために媒体ＩＤ情報と比較される。
【０００５】
米国特許第５，９３０，８２５号において開示される解決策によれば、論理クラスタが、ユーザデータ領域の物理的なクラスタ上で非線形に分散される。リードバック（read-back）の最中に、論理クラスタ対物理クラスタのルックアップテーブルを再構築することは、キーを取得する。ルックアップテーブルは、ディスク上のファイルシステムにも記憶される。ファイルシステムの検査は隠されたキーを明らかにする一方で、ファイルシステムメタデータを含むディスク上のデータを複製することは、隠されたキーの複製もする。
【発明の開示】
【発明が解決しようとする課題】
【０００６】
本発明の目的は、上述した障害を避けることができるとともに固有識別子が容易に取得又は複製されることができない、固有識別子を再生する再生装置及び方法を提供することである。更に、対応する記録装置及び方法、記録担体及びこれらの方法を実現するためのコンピュータプログラムが提供される。
【課題を解決するための手段】
【０００７】
この目的は、本発明による請求項１に記載の再生装置によって達成される。
【０００８】
この目的は、また、請求項１１に記載の記録装置によって達成される。
【０００９】
対応する方法が、請求項１０及び１２に規定される。データ領域及び欠陥管理領域を有する本発明による記録担体が、請求項１３に規定される。これらの方法を実現するためのコンピュータプログラムが、請求項１５に規定される。
【００１０】
本発明は、好適にはMount Rainier互換ドライブであるドライブの、欠陥管理システムを利用する考えに基づく。これは、少なくともＢＤ及びＤＶＤについては、本当の生コピーがなされることができないという利点を持つ。なぜなら、記録担体に記憶される欠陥管理情報は通常複製されることができないからである。例えば、Mount Rainierフォーマットでは、欠陥管理構造（特に、好適には欠陥テーブルとして記憶される再割当情報）は、リードイン（lead-in）領域にあり、この構造のコピーが、データ領域の末端に位置する（BD、DVD、CD Mount Rainierの場合）。
【００１１】
本発明によれば、好適には、少なくとも１つのセクタ（この用語は、物理セクタ又はＥＣＣブロックのいずれかとして理解される）が、再割当される。論理セクタの内容は、データ領域中における当該論理セクタのオリジナル位置及び欠陥管理領域中における当該論理セクタの再割当された位置において異なるようにされる。両セクタは、再生装置によって読み出されて、これらのセクタの内容の比較及び／又は組合せによって固有識別子を導出するために評価される。ユーザ（例えば再生装置が組み込まれるコンピュータのホスト）は、再割当を操作することが可能でない。なぜなら、これは、ドライブ（即ち再生装置）によって独立してなされるからである。
【００１２】
米国特許第５，９３０，８２５号において開示される方法及び装置と比較すると、物理アドレスを論理アドレスの関数として単に混合するのではなく、物理アドレスは、他の物理アドレスと置換される。更に、再割当情報（例えば置換テーブル）は、ファイルシステムによって管理されるのではなく、より深くで管理される。即ち、これは、（少なくともMount Rainierシステムを用いる場合には）ドライブによって管理される。ＣＤ及びＤＶＤについてのMount Rainier欠陥管理においては、ホストがルックアップテーブルを修正する可能性は、少なくともマルチメディアコマンド（ＭＭＣ）コマンドセットによっては、ない。ファイルシステム（例えばＵＤＦ１．５）が、当該ファイルシステムによる欠陥管理を可能にする場合であっても、本発明は適用できる。しかし、この場合、固有識別子はより容易に複製されることができることになる。
【００１３】
本発明の好適な実施例は、従属請求項において規定される。固有識別子を導くための評価手段の異なった実施例は、請求項２〜４に規定される。一般に、第１のデータユニット及び第２のデータユニットのいかなる組合せも、固有識別子を導くために用いられることができる。例は、算術演算（例えばデータの加算又は減算）、データの排他的論理和演算等のブール演算又はスクランブリングアルゴリズムの使用である。更に、データユニットのうちの一方は、他方のデータユニットを解読するための解読キーとして用いられることができ、又は、一方のデータユニットは、固有識別子を含む他方のデータユニットのバイト位置を指すマップとして用いられることができる。単純な実施例において、データユニットのうちの一方からのデータだけは固有識別子として用いられることができる一方で、他方のデータユニットは無視されることができ、ユーザデータを記憶するために用いられることができる。この最後の実施例は、請求項１において用いられる「組合せ」という用語によって、含まれると理解される。
【００１４】
固有識別子を導くためにオリジナル位置及び再割当位置でセクタの内容を用いる代わりに、再割当パターンも用いられることができる。従って、別の実施例では、前記データ読出手段は、複数の第１のセクタから複数の第１のデータユニットを読み出し、複数の第２のセクタから複数の第２のデータユニットを読み出すように動作し、前記評価手段は、前記第１のデータユニットをそれぞれ対応する前記第２のデータユニットと比較することによって前記固有識別子ＩＤを導出し、当該比較の結果から前記固有識別子ＩＤを得るように動作する。
【００１５】
このように、再割当パターンは、多くの手法によって用いられることができる。単純な実施例において、所与の場所で、多くのセクタは、再割当されるか否かのいずれかである。セクタが再割当される場合、この情報はビット値「１」と解釈され、さもなければ、これはビット値「０」と解釈される（又はこの逆でもよい）。オリジナル位置のデータ（即ち第１のセクタの第１のデータユニット）が再割当された位置のデータ（即ち第２のデータ位置の第２のデータ）と異なるかどうかは、第１のデータユニットをそれぞれの（再割当された）第２のデータユニットと比較することによってユーザによって決定されることができる。他の方法は、再割当テーブルのコピーを、それが記録担体に存在し、且つ、ユーザが利用できるならば、見ることである。
【００１６】
固有識別子を得るためにはどのセクタを読み出すべきか及びどの評価関数を用いるべきかを再生装置が知ることを可能にするために、再生装置の好適な実施例において、この情報を記憶するメモリ手段が提供される。従って、記録装置及び再生装置は、セクタのアドレス及び評価関数について、前もって合意しており、この情報は、例えば、標準規格の一部であってもよい。
【００１７】
別の実施例において、この情報は、記録担体に記憶される。即ち、この情報は、変化することができ、記録の最中に選択されることができる。このとき再生装置は、適当な評価情報読出手段を有する。
【００１８】
記録担体から第１の及び第２のデータユニットを読み出すためには、好適には、第１のデータユニットがストリーミング読出コマンドによって読み出され、第２のデータユニットが論理読出コマンドによって読み出される。読出コマンドは、ＭＭＣセットからのマルチメディアコマンドであり、このＭＭＣセットは、ホスト‐ドライブインターフェースのための標準化されたコマンドセットである。これらの読出コマンドは、このようにホストアプリケーションによって発行される。これは、固有識別子が（より正確には、固有識別子を導くためのデータユニットが）、ホストによって読み出されることができるが、修正されることができないという利点を有する。なぜなら、欠陥管理機能はドライブのみによってなされる一方で、ホストは欠陥テーブルへの書き込みアクセスを持たないからである。この実施例において提案されるようなＭＭＣセットから利用可能なコマンドの使用によって、固有識別子のリードバック及び再生のために何も変える必要はない。
【００１９】
好適にはMount Rainierフォーマット内である、他の実施例は、一般アプリケーション領域（general application area、ＧＡＡ）を欠陥管理領域との組み合わせで利用する。ＧＡＡ及び欠陥管理領域が、同時に利用可能になることは不可能である。両方の領域が同じ論理セクタドレシングを利用する、即ち、二重のセクタドレスがあり、ドライブは、ＧＡＡアドレシングか又は欠陥管理領域アドレシングの一方にセットされなければならない。固有識別子を導出するための情報を有するがGAA及び欠陥管理領域には異なった内容を有するセクタは、異なった2つの領域の同じ論理セクタに入れられることができる。従って、ディスクが、本発明に従って適応されたMount Rainierドライブに挿入される場合、この情報は、取得されることができるに過ぎない。
【００２０】
欠陥管理システムは通常、再書き込み可能な媒体のためだけに設計されるが、欠陥管理フォーマットは、読出専用媒体及び記録可能な媒体にも適用されることができる。即ち、本発明は、各種の光記録担体において全般的に用いられることができる。更に、第１の及び第２のデータユニット及び再割当情報の記録は、マスタリングの最中に、又は、ドライブにおいて、例えば記録担体が最初にドライブに入れられたときに、なされることができる。
【００２１】
異なった読出プロセスを用いる場合には、これらのプロセスは、固有識別子を構成する異なった結果を与えるはずであることに注意すべきである。このように、この実施例において、第１の及び第２のデータユニットの内容が異なるようにされることは、好ましいが必須ではない。しかし、固有識別子を導くために再割当パターンを用いる実施例では、内容は、等しくても異なっていてもよい。
【発明を実施するための最良の形態】
【００２２】
ここで本発明は、図面を参照して、より詳細に説明される。
【００２３】
図１は、本発明による記録装置の主要な構成要素を図式的に示す。これは、光記録担体５のデータ領域にデータを記録するための第１の記録ユニット１と、記録担体５の欠陥管理領域にデータを記録するための第２の記録ユニット２と、欠陥管理領域に再割当情報を記録するための記録ユニット３と、記録ユニット１、２、３を制御するための制御装置４とを有する。従来型の再書き込み可能なドライブとは異なり、Mount Rainierに準拠した再書き込み可能なドライブは、欠陥管理もサポートする。これは、プログラムがディスク５にセクタを書き込もうとするときに、当該セクタが欠陥セクタであることがわかったら、当該セクタが隠され、予備セクタがその代わりに用いられることを意味する。よって、通常のパケット書込みとは異なって、エラー処理は、ソフトウェアによってではなくドライブ自体によって（即ちハードウェアによって）なされる。ディスク５の欠陥管理領域及びデータ領域の図式的なレイアウトが、図２−Ａに示され、ここで、更に、複数のセクタＮ〜Ｎ＋４がデータ領域に示されている。
【００２４】
ディスク５に固有識別子を提供するために、ここで、本発明によって、第１のステップで、少なくとも１つのデータユニットがデータ領域のセクタに（例えばセクタＮ＋１に）記憶されることが提案される。次のステップとして、このセクタは、欠陥管理領域に再割当される。即ち、いわゆる欠陥管理テーブルに対応する再割当情報を書き込むことによって、データ領域のセクタＮ＋１は、（このセクタが物理的に欠陥がないにもかかわらず）欠陥があるものとみなされ、そのようにマークされる。上記欠陥管理テーブルも、欠陥管理領域に記憶され、好適にはディスク５（図２に示されない）のリードイン領域に記憶されている。オリジナルセクタＮ＋１が再割当された欠陥管理領域に位置する予備セクタ（Ｎ＋１）'には、オリジナルセクタＮ＋１に記憶される第１のデータユニットとは異なる第２のデータユニットが記録される。これは、図２−Ｂに図式的に示される。図３のブロック図に図式的に示される再生装置は、このとき、固有識別子を次のように再生することが可能である。第１の読出ユニット６によって、第１のデータユニットが、データ領域のオリジナルセクタから（即ち図２−Ｂに示される実施例のセクタＮ＋１から）読み出される。このセクタのアドレスは、予め定まっており、再生装置と記録装置との間で合意されている（例えば標準規格で定まっている）、即ちメモリ１１に記憶されているか、又は、対応するアドレス情報が、ディスク５上の特定の場所で提供され、読出ユニット１２によって前もって読み出される。  
【００２５】
次のステップにおいて、再割当情報は、欠陥管理領域のどのセクタにオリジナルの第１のセクタ（Ｎ＋１）が再割当されたかの情報を取得するために、ディスク５から、特に欠陥管理テーブルから、第２の読出ユニット７によって読み出される。次に、この再割当情報を用いて、別の読出ユニット８が、欠陥管理領域の再割当されたセクタから第２のデータユニット（即ち欠陥管理領域のセクタ（Ｎ＋１）'の内容）を読み出す。全ての読出ユニットは、制御ユニット９によって制御され、該制御ユニット９に、再割当情報が、再割当されたセクタのアドレスを知ることを必要とする読出ユニット８の適当な制御のために提供される。
【００２６】
一実施例において、第２のデータユニットは、図２−Ｃに示されるような論理読出コマンドを用いて読み出されることができる。セクタＮ〜Ｎ＋２は、この種の論理読出コマンドを用いて読み出される。セクタＮ＋１は欠陥があるとマークされていることから、論理読出コマンドは代わりに予備セクタ（Ｎ＋１）'の内容を読み出すので、返されるデータは、セクタＮ、（Ｎ＋１）'及びＮ＋２の内容である。
【００２７】
オリジナルセクタＮ＋１の内容は、例えば、図２−Ｄで示すストリーミング読出コマンドによって読み出されることができる。セクタＮ〜Ｎ＋２を読み出すためにストリーミング読出コマンドに返されるデータは、セクタＮ、Ｎ＋１及びＮ＋２の内容である。
【００２８】
評価装置１０において、第１の及び第２のデータユニット、即ち、読出セクタＮ＋１及び（Ｎ＋１）'の内容は、固有識別子ＩＤを得るために比較及び／又は組合せによって評価される。この種の評価のために、異なった可能性が存在する。例えば、データは、単に、算術演算若しくはブール演算又はいかなるスクランブリングアルゴリズムの対象にもなることができる。他の可能性は、データユニットのうちの一方が、他方のデータユニットの解読のための解読キーとして、又は、他のデータユニット内においてＩＤが記憶される特定の位置を指すポインタとして解釈される、ということである。更に、データユニットのうちの一方は、単に無視されることさえできる一方で、他のデータユニットは、処理されるか、又は、そのままでＩＤとして扱われる。当然、評価の手法及び評価のために使用されるアルゴリズムは、ディスク５に第１の及び第２のデータユニットを提供するために相補的評価アルゴリズムが用いられた記録装置と合致しなければならない。このように、この評価アルゴリズムに関する情報は、読出ユニット１２による読出しのためにディスク５に記憶されるか、又は、これは、事前に、再生装置のメモリ１１に記憶されていてもよい。
【００２９】
固有識別子を抽出するために、オリジナル位置及び再割当位置におけるセクタの内容を使用する代わりに、再割当パターンも用いられることができる。これは多くの手法でなされることができるが、単純な例として、例えば位置Ｎ＋ｎ・５１２（ここでｎ＝０、１、２、…）における多くのセクタ（又はＥＣＣブロック）が再割当されるか否かである。これが再割当される場合、これは第１のビット値であり、さもなければ、それは第２のビット値である。オリジナル位置のユーザデータが、再割当された位置でユーザデータと異なるかどうかは、例えば図２−Ｃ及び２−Ｄに示すように論理読出コマンド及びストリーミング読出コマンドを発することによって、再割当されたセクタ（ＥＣＣ−ブロック）間の差で決定されることができる。他の方法は、再割当テーブルのコピーを見ることであり、これは、記録担体に設けられていることがあり、特定の状況の下でユーザが利用できる。これは、リードイン領域、プログラム領域及びリードアウト領域（lead-out area）を持つディスクの論理的構造を示す図４−Ａに示すことができる。見て分かるように、リードイン領域には、特に再割当情報を含む欠陥管理テーブルの記憶のために、メインテーブル領域ＭＴＡが設けられる。このメインテーブル領域のコピーは、プログラム領域の終わりに２次テーブル領域ＳＴＡとして記憶される。
【００３０】
特にMount Rainierフォーマット内での他の方法は、ＧＡＡ領域（図４−Ａにも示される）及び欠陥管理領域を利用することである。Mount Rainierドライブは、ＧＡＡアドレシングと欠陥管理領域アドレシングとの間で切り替えをすることができる。ＧＡＡアドレシングにおいて、プログラム領域の第１の小さい部分だけがアクセスされることができ、論理アドレス空間は、セクタ０で開始する（図４−Ｂを参照されたい）。この部分は、特別なリマッパ無しにレガシードライブがアクセスすることができる唯一の部分である。代わりに、欠陥管理領域は、他のアドレシング方法を持つ。ここでは、論理アドレス空間もセクタ０で開始する。論理ブロック番号は、データ領域のユーザデータブロックをアドレスする。ランイン、ランアウト及びリンクブロックのみが除外される（図４−Ｃを参照されたい）。
【００３１】
従って、セクタＱを読み出す論理読出コマンドは、Mount Rainierドライブのアドレシング方法のセッティングに依存して、ＧＡＡ部分のセクタ（ＧＡＡアドレシングの場合には図４−Ｂを参照）への、又は、欠陥管理領域部分のセクタ（欠陥管理領域アドレシングの場合には図４−Ｃを参照）への物理的な読出を結果として生じうる。
【００３２】
固有識別子を導出するための情報の部分を有するセクタは、このように、２つの異なった領域の同じ論理セクタに入れられることができる。従って、これは、固有識別子を取得するのに必要な情報の両方の部分を取得するために２つのアドレシング方法の間で切り替えられる適切なドライブにディスクが挿入される場合にのみ、取得されることができる。
【００３３】
本発明は、ドライブの欠陥管理システムを利用して、ユーザによって容易に複製されることができない固有識別子を光記録担体に記憶する可能性を提供する。
【図面の簡単な説明】
【００３４】
【図１】本発明による記録装置のブロック図を示す、
【図２】本発明による論理セクタレイアウトのグラフを示す。
【図３】本発明による再生装置のブロック図を示す。
【図４】本発明の他の実施例によるセクタレイアウトを示すグラフを示す。
【図１】
2007522599.tif 000003
【図２Ａ】
2007522599.tif 000004
【図２Ｂ】
2007522599.tif 000005
【図２Ｃ】
2007522599.tif 000006
【図２Ｄ】
2007522599.tif 000007
【図３】
2007522599.tif 000008
【図４Ａ】
2007522599.tif 000009
【図４Ｂ】
2007522599.tif 000010
【図４Ｃ】
2007522599.tif 000011
【国際調査報告】
2007522599.tif 000012
2007522599.tif 000013
2007522599.tif 000014